(57)【要約】【課題】老朽化した天井クレーンの新規な天井クレーンへの更新を、短期間で行うことができるクレーン更新装置とこれを用いたクレーンの更新方法を提供する。【解決手段】天井クレーンが走行するランウェイガーダー２０の延長線上に、第１の架構１を設置するとともに、この第１の架構１と平行に同様の第２の架構２を設置し、新設または既設の天井クレーンを第１の架構１と第２の架構２間で移動させる移動用架構３を設けたクレーン更新装置。また、第１または第２の架構１、２上で新設天井クレーン１２の組み立てを行う工程と、ランウェイガーダー上にある既設天井クレーン１１を移動用架構３により空き状態である第１または第２の架構１、２まで移動する工程と、組み立てた新設天井クレーン１２を移動用架構３によりランウェイガーダー２０まで移動する工程を含むクレーンの更新方法。【選択図】図１
2010149961.tif 000002
【特許請求の範囲】
【請求項１】
天井クレーンが走行するランウェイガーダーの延長線上に、新設天井クレーンの組み立てを行い、または既設天井クレーンを待避させる第１の架構を設置するとともに、この第１の架構と平行に同様の第２の架構を設置し、前記新設または既設の天井クレーンを前記第１の架構と第２の架構間で移動させる移動用架構を設けたことを特徴とするクレーン更新装置。
【請求項２】
ランウェイガーダーと第１の架構間には空間部が設けられ、この空間部内を移動用架構が移動するよう構成されている請求項１に記載のクレーン更新装置。
【請求項３】
移動用架構は、昇降装置により高さ調整自在とされている請求項１または２に記載のクレーン更新装置。
【請求項４】
移動用架構の前後両端部には下方に向け先細としたテーパ面が形成され、この移動用架構が連結されるランウェイガーダー、第１および第２の架構の連結端部には前記テーパ面に係合する逆テーパ面が形成されている請求項３に記載のクレーン更新装置。
【請求項５】
請求項１〜４のいずれかのクレーン更新装置を用いたクレーンの更新方法であって、第１または第２の架構上で新設天井クレーンの組み立てを行う工程と、ランウェイガーダー上にある既設天井クレーンを移動用架構により空き状態である第１または第２の架構まで移動する工程と、組み立てた新設天井クレーンを移動用架構によりランウェイガーダーまで移動する工程を含むことを特徴とするクレーンの更新方法。
【請求項６】
第１または第２の架構上で新設天井クレーンの組み立てと、組み立てた天井クレーンの試運転を行う請求項５に記載のクレーンの更新方法。
【請求項７】
移動用架構を、移動時には隣接する他の架構よりも上面が高くなるように上昇させ、一方、連結時には隣接する他の架構と上面がほぼ面一となるように下降させるよう昇降動の制御を行う請求項５または６に記載のクレーンの更新方法。
【発明の詳細な説明】
【技術分野】
【０００１】
本発明は、老朽化した天井クレーンの新規な天井クレーンへの更新を、短期間で行うことができるクレーン更新装置と、これを用いたクレーンの更新方法に関するものである。
【背景技術】
【０００２】
従来から、製鉄工場においては、鋳造鍋運搬用のフック等が取り付けられているレードルクレーンや、原料を運ぶための運搬クレーンや、原料を挿入するためのチャージングクレーン等、種々の天井クレーンが多く使用されている。これらの天井クレーンは、高熱作業所において大重量のものを牽引する等の厳しい環境下で使用されている場合が多く、老朽化が進行して新規の天井クレーンに更新するニーズが頻繁に生じている。
【０００３】
このようなクレーンの更新方法としては、既設の天井クレーンを複数のブロックに解体し、このブロックを揚重機で地上に吊り降ろして細かく解体するとともに、地上では新規の天井クレーンを複数のブロックに組み立て、これを揚重機で走行レール上にセット後、最終クレーンに組み立てる方法が一般的であった。この方法の場合は、既設クレーンの停止から新規クレーンの稼動開始までに約２〜３ケ月の工事期間を要し、この間は製造の中止を強いられることになった。
【０００４】
一方、最近では生産効率の更なる向上が求められており、天井クレーンの更新期間についても短縮化が要求されるようになってきた。そこで、特許文献１に示されるように、レードルクレーンを一体構造とし、地上で組み立てた構造物を揚重機で走行レール上に据え付けることで工期を短縮化する技術が提案されている。
しかしながら、特許文献１に記載の発明においては、一体的に組み立てたレードルクレーンの重量が大きく、これを吊り上げる揚重機の能力や揚重機の据付場所等の関係から、既設の揚重機では対応することができないという問題点があった。また、新たな揚重機を設置することはスペース的な点から、敷地に余裕の少ない現状の製鉄工場では適用が難しいという問題点もあった。
【特許文献１】特開２００８−１００８３６号公報
【発明の開示】
【発明が解決しようとする課題】
【０００５】
本発明は上記のような問題点を解決して、老朽化した天井クレーンを新規な天井クレーンに更新するのを効率よく、かつ短期間で行うことができるクレーン更新装置とこれを用いたクレーンの更新方法を提供することを目的として完成されたものである。
【課題を解決するための手段】
【０００６】
上記課題を解決するためになされた本発明は、天井クレーンが走行するランウェイガーダーの延長線上に、新設天井クレーンの組み立てを行い、または既設天井クレーンを待避させる第１の架構を設置するとともに、この第１の架構と平行に同様の第２の架構を設置し、前記新設または既設の天井クレーンを前記第１の架構と第２の架構間で移動させる移動用架構を設けたことを特徴とするクレーン更新装置である。
また、このクレーン更新装置を用いて、第１または第２の架構上で新設天井クレーンの組み立てを行う工程と、ランウェイガーダー上にある既設天井クレーンを移動用架構により空き状態である第１または第２の架構まで移動する工程と、組み立てた新設天井クレーンを移動用架構によりランウェイガーダーまで移動する工程を含むことを特徴とするクレーンの更新方法である。
【０００７】
前記ランウェイガーダーと組立作業用架構間には空間部が設けられ、この空間部内を移動用架構が移動するよう構成されているものとすることができ、これを請求項２に係る発明とする。
【０００８】
また、前記移動用架構は、昇降装置により高さ調整自在に設置されているものとすることができ、これを請求項３に係る発明とする。
【０００９】
また、前記移動用架構の前後両端部には下方に向け先細としたテーパ面が形成され、この移動用架構が連結されるランウェイガーダー、第１および第２の架構の連結端部には前記テーパ面に係合する逆テーパ面が形成されているものとすることができ、これを請求項４に係る発明とする。
【００１０】
更に、クレーン更新装置の更新方法において、第１または第２の架構上で新設天井クレーンの組み立てと、組み立てた天井クレーンの試運転を行うものとすることができ、これを請求項６に係る発明とする。
【００１１】
また、前記移動用架構を、移動時には隣接する他の架構よりも上面が高くなるように上昇させ、一方、連結時には隣接する他の架構と上面がほぼ面一となるように下降させるよう昇降動の制御を行うものとすることができ、これを請求項７に係る発明とする。
【発明の効果】
【００１２】
請求項１に係る発明では、第１の架構とこれと平行な第２の架構を設け、新設または既設の天井クレーンを前記第１の架構と第２の架構間で移動させる移動用架構を設けたので、この移動用架構を利用して既設の天井クレーンを前記第１または第２の架構へ移動させるとともに、新設の天井クレーンをランウェイガーダー上へ移動させることができ、効率よくクレーンの更新を行うことができる。
【００１３】
また、請求項２に係る発明では、ランウェイガーダーと第１の架構間には空間部が設けられ、この空間部内を移動用架構が移動するよう構成されているので、必要最小限のスペースで移動用架構の設置をすることができる。
【００１４】
また、請求項３に係る発明では、移動用架構は、昇降装置により高さ調整自在とされているので、移動用架構を移動時にはランウェイガーダー、第１の架構、第２の架構に接触しないよう上昇させたり、連結時には継ぎ目に段差を生じさせないよう下降させたりすることが可能になる。
【００１５】
また、請求項４に係る発明では、移動用架構のテーパ面と、移動用架構が連結されるランウェイガーダー、第１および第２の架構の連逆テーパ面とが密着するので、連結部に隙間が生じるのを防止し、またフラットな面とすることでクレーンの移動を円滑に行えるようにすることができる。
【００１６】
また、請求項５に係る発明では、上記のようなクレーン更新装置を用い、ランウェイガーダー上での既設天井クレーンの解体と、第１または第２の架構上での新設天井クレーンの組み立てを同時に進行でき、また、第１または第２の架構を待避場所として使用することで、効率よく短期間でクレーンの更新が可能となる。
【００１７】
また、請求項６に係る発明では、第１または第２の架構上で組み立てた天井クレーンの試運転まで済ますことができ、その後の立ち上げ時の点検作業等をより迅速に行えることとなる。
【００１８】
また、請求項７に係る発明では、移動用架構の高さを所定のパターンに昇降動制御するので、移動用架構の移動は円滑に行うことができ、また連結時には隙間の発生を防止することができて、効率的なクレーンの更新が行えることとなる。
【発明を実施するための最良の形態】
【００１９】
以下に、図面を参照しつつ本発明の好ましい実施の形態を示す。
図面は、製鉄工場における天井クレーンの更新装置を示すものであり、図１は平面図、図２は正面図である。図において、２０は天井クレーンが走行するランウェイガーダーであり、図１は、ランウェイガーダー２０上にあるＮｏ．１の既設天井クレーン１１を、Ｎｏ．１の新設天井クレーン１２に更新する場合を示している。
【００２０】
前記ランウェイガーダー２０の延長線上には、新設天井クレーンの組み立てを行い、または既設天井クレーンを待避させる第１の架構１が設置されているとともに、この第１の架構１と平行に、新設天井クレーンの組み立てを行い、または既設天井クレーンを待避させる、前記第１の架構１と同様の第２の架構２が設置されている。
更に、前記新設または既設の天井クレーンを前記第１の架構１と第２の架構２との間で移動させ、あるいは新設または既設の天井クレーンをランウェイガーダー２０との間で移動させるための移動用架構３が設けられている。
【００２１】
なお、３０（一点鎖線）は工場の建屋を示しており、この場合は建屋の壁をくり抜いて隣接地に設けた第２の架構２、および移動用架構３を連結したものとなっているが、これらを同一の建屋内に設けてもよいことは勿論である。
【００２２】
前記ランウェイガーダー２０と第１の架構１との間には空間部が設けられ、この空間部内を移動用架構３が移動するよう構成されている。この移動用架構３は、新設または既設の天井クレーンを移動させるものであり、１台の天井クレーンが載るだけの最小限の幅があればよく、これに対応して空間部も最小限のスペースで設ければよい。
【００２３】
また、図２に示されるように、前記移動用架構３は、例えば前後左右自在に移動可能なドーリー等の移動用キャリア４上に、油圧式昇降機等の昇降装置５を介してセットされており、高さ調整を自在に行えるよう構成されている。従って、移動用架構３の高さはランウェイガーダー２０や、第１の架構１、第２の架構２の高さと基本的には同じであるが、ズレ等が生じても、第１の架構１と第２の架構２、およびランウェイガーダー２０との間で移動用架構３の高さがほぼ面一の高さとなるように微調整可能であり、段差が生じることがなくクレーンの円滑な移動を確保することができる。
ここでいうほぼ面一の高さとは、完全に同一の高さを含むことは勿論のこと、移動用架構３と第１の架構１、第２の架構２、ランウェイガーダー２０との間でクレーンの走行が支障なく行える程度の差がある場合の高さも含む概念である。
【００２４】
更に、図７に示されるように、前期移動用架構３の前後両端部には下方に向け先細としたテーパ面３ａが形成され、この移動用架構３が連結されるランウェイガーダー２０、第１および第２の架構１、２の連結端部にも前記テーパ面３ａに係合する逆テーパ面３ｂ、３ｂ・・・が形成された構造となっている。
これは、垂直断面の構造とした場合、移動用架構３の円滑な移動を確保するためにはランウェイガーダー等との間にクリアランスを設けておく必要があり、それによって生じる隙間にクレーンの車輪が落ち込み走行を妨げる一因となり、一方、クリアランスを極力小さくすると接触して移動用架構３の円滑な移動を妨げる一因となる。
そこで、本発明では、移動用架構側に先細テーパ面３ａを形成するとともに、この移動用架構３が連結されるランウェイガーダー２０、第１および第２の架構１、２の連結端部にも前記テーパ面３ａに係合する逆テーパ面３ｂ、３ｂ・・・を形成した構造とすることにより、第１の架構１と第２の架構２間を移動する際には、移動用架構３を上昇させ十分な隙間を確保した状態で楽に移動し、一方、連結時には移動用架構３を下降させて、テーパ面３ａと逆テーパ面３ｂとを係合させ、かつ、ほぼフラットな連続面を形成してクレーンの乗り換え移動を容易に行える構造とした。
即ち、移動用架構３を昇降装置５により下降すると、移動用架構３の先細テーパ面３ａが連結端部の逆テーパ面３ｂに案内されて円滑に所定位置に設置でき作業時間を大幅に短縮することができる。また、移動用架構３が左右（水平）方向に多少のズレがあっても、前記テーパ面の案内機能により、自動的にそのズレがなくなるように修正されることとなる。
【００２５】
次に、本発明の更新装置により新設・既設のクレーンの入れ替えを行う手順について説明する。
図１は、一例として、ランウェイガーダー２０上にあったＮｏ．１の既設天井クレーン１１を、第１の架構上において組み立てたＮｏ．１の新設天井クレーン１２と入れ替えて更新する場合を示している。
【００２６】
本発明のクレーンの更新方法では、第１または第２の架構上で新設天井クレーンの組み立てを行う工程と、ランウェイガーダー上にある既設天井クレーンを移動用架構３により空き状態である第１または第２の架構まで移動する工程と、組み立てた新設天井クレーンを移動用架構によりランウェイガーダーまで移動する工程を含むものである。
【００２７】
以下、図３〜図６の斜視図を参照しつつ説明する。
図３は、既設天井クレーン１１が走行するランウェイガーダー２０の延長線上に、第１の架構１を設置し、また、この第１の架構１と平行に第２の架構２を設置し、更に、前記第１の架構１と第２の架構２間で移動可能な移動用架構３を設けた状態を示している。
なお、以下に説明するものでは、前記第１の架構１が新設天井クレーン１２の組み立てを行うためのものであり、一方、第２の架構２が既設天井クレーン１１を待避させるためのものとしているが、逆に、第１の架構が既設天井クレーンの待避用であり、第２の架構が新設クレーンの組み立て用であってもよいことは勿論である。
また、各クレーンが１台でもよく、また２台以上であってもよいことも勿論であり、２台の場合については後述する。
【００２８】
先ず、図４に示されるように、第１の架構１上において、Ｎｏ．１の新設天井クレーン１２の組み立てを行い、これと並行して、Ｎｏ．１の既設天井クレーン１１をランウェイガーダー２０上から撤去する。
この既設天井クレーンの撤去作業は、既設天井クレーン１１をランウェイガーダー２０から移動用架構３へ移した後、移動用架構３を第１の架構１から第２の架構２へ移動し、次いで、移動用架構３から第２の架構２へ移動して行う（破線を参照）。このようにして、Ｎｏ．１の既設天井クレーン１１を第２の架構２上で待避させる。
【００２９】
なお、前記の撤去作業において、天井クレーンを移動用架構３へ移す場合、あるいは移動用架構３からランウェイガーダー２０や他の架構へ移す場合、移動用架構３は下降されて、テーパ面３ａと逆テーパ面３ｂとを密着させるので、連結部に隙間が生じるのを防止し、かつフラットな連続面を形成することができ、クレーンの乗り換え移動を容易に行うことができる。また、第１の架構１と第２の架構２間を移動する場合は、移動用架構３は上昇されて十分な隙間を確保した状態となっているので、他部材と接触することもなく安全に移動することができる（図７を参照）。
【００３０】
次に、図５に示されるように、第１の架構１上で組み立てたＮｏ．１の新設天井クレーン１２を、移動用架構３を用いてランウェイガーダー２０上へ移動する。この作業は、Ｎｏ．１の新設天井クレーン１２を、移動用架構３を連結通路として第１の架構１からランウェイガーダー２０へ順次移動させるだけであり、簡単かつ円滑に行うことができる。
【００３１】
次に、図６に示されるように、Ｎｏ．１の既設天井クレーン１１を解体し、解体部品の一部であるクラブ６等を他の揚重機により工場の保管場所等へ移動する。なお、図示のものでは、他の揚重機の移動範囲が第１の架構１上にあるため、既設天井クレーンは移動用架構３により待避していた第２の架構２から第１の架構１へ、順次移動（破線を参照）させられ、第１の架構上で解体が行われる。
このようにして、既設天井クレーン１１の解体を終えるとクレーンの更新作業が終了する。
【００３２】
なお、前記第１の架構１上で新設天井クレーン１２の組み立てを行うのに加えて、組み立てた天井クレーン１２の試運転を行うこともできる。これにより、更新作業後における、新設天井クレーンの各種項目のテストや立ち上げ作業を円滑に進めることができ作業期間の短縮化を図ることができる。
【００３３】
また、以上の説明においては、第１の架構１上で新設天井クレーン１２の組み立てを行い、第２の架構２に既設天井クレーン１１を待避させる場合について説明したが、逆に第２の架構２上で新設天井クレーン１２の組み立てを行い、第１の架構１に既設天井クレーン１１を待避させるようにしてもよいことは勿論である。また、更新するクレーンの数が何台であってもよいことも勿論である。
【００３４】
なお、従来の方法による場合は、既設クレーンの停止から新規クレーンの稼動開始までに、約４ケ月（解体１ケ月＋据付３ケ月）のライン休止期間を要していたのに対し、上記で説明した本発明の更新方法の場合は、４日のライン休止で更新を完了することができ、大幅な工期の短縮が図れることが確認できた。
【００３５】
次に、ランウェイガーダー２０上にあるＮｏ．１とＮｏ．２の２台の既設天井クレーン１１ａ、１１ｂを、第１の架構上において組み立てたＮｏ．１とＮｏ．２の２台の新設天井クレーン１２ａ、１２ｂと入れ替え更新する場合について、簡単に説明する。
図８において、矢印の先に書いた英文字が大文字の場合は既設クレーンを撤去する場合、また、英文字が小文字の場合は新設クレーンを搬入する場合を示し、アルファベット順に従って移動するものである。
【００３６】
先ず、図９に示されるように、第１の架構１上において、Ｎｏ．１とＮｏ．２の２台の新設天井クレーン１２ａ、１２ｂの組み立てを行い、これと並行して、Ｎｏ．１とＮｏ．２の２台の既設天井クレーン１１ａ、１１ｂをランウェイガーダー２０上から撤去する。
この既設天井クレーンの撤去作業は、既設天井クレーン１１ａをランウェイガーダー２０から移動用架構３へ移した後、移動用架構３を第１の架構１から第２の架構２へ移動し、次いで、移動用架構３から第２の架構２へ移動して行う。更に、移動用架構３は再び第１の架構１側へ戻り、同様に、既設天井クレーン１１ｂをランウェイガーダー２０から移動用架構３へ移した後、移動用架構３を第１の架構１から第２の架構２へ移動し、次いで、移動用架構３から第２の架構２へ移動して行う。このようにして、Ｎｏ．１とＮｏ．２の２台の既設天井クレーン１１ａ、１１ｂを第２の架構２上で待避させる。
【００３７】
次に、図１０に示されるように、第１の架構１上で組み立てたＮｏ．１とＮｏ．２の２台の新設天井クレーン１２ａ、１２ｂを、移動用架構３を用いてランウェイガーダー２０上へ移動する。この作業は、Ｎｏ．１とＮｏ．２の２台の新設天井クレーン１２ａ、１２ｂを、移動用架構３を連結通路として第１の架構１からランウェイガーダー２０へ順次移動させるだけであり、簡単かつ円滑に行うことができる。
【００３８】
次に、図１１に示されるように、Ｎｏ．１とＮｏ．２の２台の既設天井クレーン１１ａ、１１ｂを解体し、解体部品の一部であるクラブ６等を他の揚重機により工場の保管場所等へ移動する。なお、図示のものでは、他の揚重機の移動範囲が第１の架構１上にあるため、既設天井クレーンは移動用架構３により待避していた第２の架構２から第１の架構１へ、順次移動させられ、第１の架構上で解体が行われる。
このようにして、２台の既設天井クレーン１１ａ、１１ｂの解体を終えるとクレーンの更新作業が終了する。
【００３９】
また、以上の説明においては、第１の架構１上で新設天井クレーン１２ａ、１２ｂの組み立てを行い、第２の架構２に既設天井クレーン１１ａ、１１ｂを待避させる場合について説明したが、逆に第２の架構２上で新設天井クレーン１２ａ、１２ｂの組み立てを行い、第１の架構１に既設天井クレーン１１ａ、１１ｂを待避させるようにしてもよいことは勿論である。
なお、更新するクレーンの数が３台以上であっても、上記と同様の手順により更新作業を行うことができることは勿論である。
【図面の簡単な説明】
【００４０】
【図１】本発明の実施の形態を示す平面図である。
【図２】本発明の実施の形態を示す正面図である。
【図３】更新工程を示す斜視図である。
【図４】更新工程を示す斜視図である。
【図５】更新工程を示す斜視図である。
【図６】更新工程を示す斜視図である。
【図７】移動用架構を示す正面図である。
【図８】その他の更新工程を示す平面図である。
【図９】その他の更新工程を示す説明図である。
【図１０】その他の更新工程を示す説明図である。
【図１１】その他の更新工程を示す説明図である。
【符号の説明】
【００４１】
１  第１の架構
２  第２の架構
３  移動用架構
３ａ  テーパ面
３ｂ  逆テーパ面
４  移動用キャリア
５  昇降装置
６  クラブ
１１  既設天井クレーン
１２  新設天井クレーン
11ａ  Ｎｏ．１の既設天井クレーン
11ｂ  Ｎｏ．２の既設天井クレーン
12ａ  Ｎｏ．１の新設天井クレーン
12ｂ  Ｎｏ．２の新設天井クレーン
【図１】
2010149961.tif 000003
【図２】
2010149961.tif 000004
【図３】
2010149961.tif 000005
【図４】
2010149961.tif 000006
【図５】
2010149961.tif 000007
【図６】
2010149961.tif 000008
【図７】
2010149961.tif 000009
【図８】
2010149961.tif 000010
【図９】
2010149961.tif 000011
【図１０】
2010149961.tif 000012
【図１１】
2010149961.tif 000013